(57)【特許請求の範囲】
【請求項１】
第１の視標を視度可変に被検眼に投影する第１の視標光学系と、前記第１の視標と比較して広角な第２の視標を光学的遠方から他眼に投影する第２の視標光学系と、前記第２の視標と同じ第３の視標を光学的遠方から前記第１の視標の光学経路を用いて被検眼に投影する第３の視標光学系とを備えることを特徴とする眼屈折計。
【発明の詳細な説明】
【０００１】
【発明の属する技術分野】
本発明は、眼鏡店や眼科病院で使われる眼屈折計に関するものである。
【０００２】
【従来の技術】
従来、オートレフラクトメータ等の他覚眼屈折計では、被検眼となる片眼にのみ視標を投影して眼屈折力測定を行っている。
【０００３】
【発明が解決しようとする課題】
しかしながら上述の従来例の他覚眼屈折計においては、単眼視となるために調節が十分に緩解できないことがあり、測定誤差の原因になっている。そこで、両眼に視標を投影して測定することが考えられるが、この場合は被検者の瞳孔間距離に合わせて左右眼の視標光学系の間隔を調節する必要があり、構成が複雑になるという問題点が生ずる。
【０００４】
本発明の目的は、上述の問題点を解消し、簡素な構成で十分に被検眼の調節の緩解が可能な眼屈折計を提供することにある。
【０００５】
【課題を解決するための手段】
上記目的を達成するための本発明に係る眼屈折計は、第１の視標を視度可変に被検眼に投影する第１の視標光学系と、前記第１の視標と比較して広角な第２の視標を光学的遠方から他眼に投影する第２の視標光学系と、前記第２の視標と同じ第３の視標を光学的遠方から前記第１の視標の光学経路を用いて被検眼に投影する第３の視標光学系とを備えることを特徴とする。
【０００６】
【発明の実施の形態】
本発明を図示の実施例に基づいて詳細に説明する。
図１は実施例のオートレフラクトメータの光学系の平面図を示し、眼屈折計１の被検眼側の略中央部の光路O1上に、可視光を透過する中心部２ａを有する光分割部材２が配置され、光分割部材２の背後には、可視光を透過し赤外光を反射する光分割部材３、レンズ４、可視光を反射する光分割部材５、レンズ６、測定赤外光を反射する光分割部材７、撮像手段８が順次に配列されている。
【０００７】
光分割部材３の入射方向の光路O2上には、対物レンズ９、ミラー１０、孔あきミラー１１、屈折測定用赤外光源１２が配列され、光分割部材５の反射方向の光路O3上には、レンズ１３、ミラー１４、レンズ１５、図２に示すような中心固視可能な遠景が描かれた視角５〜１５度程度の視標１６、視標照明用光源１７が配列されて、視度可変な視標光学系が形成されている。
【０００８】
光分割部材２の前面に被検眼となる右眼ERを配置したときに、他眼となる左眼ELが位置する光路O4上には、レンズ１８Ｌ、このレンズ１８Ｌの焦点付近に配置され図３に示すような広角視標１９Ｌ、視標照明用光源２０Ｌが配列されて、他眼用の左眼視標光学系が形成されている。また、左眼ELを被検眼として光路O1上に配置した場合に、他眼となる右眼ERが位置する光路O5上には、光路04と同様に、レンズ１８Ｒ、広角視標１９Ｒ、視標照明用光源２０Ｒが配列されて、他眼用の右眼視標光学系が形成されている。
【０００９】
光路O4、O5は光路O1と平行であり、光路O1に対する間隔は平均的な瞳孔間距離６３ｍｍ程度とされており、照明用光源２０Ｌ、２０Ｒは左眼用切換え時の摺動台の左右検知に連動してオン／オフするようになっている。
【００１０】
図４は測定対象となる被検眼に、広角視標を投影する視標光学系の側面図を示し、光分割部材２の入射方向の光路O6上には、他眼用の広角視標光学系であるレンズ１８Ｌ、１８Ｒ、広角視標１９Ｌ、１９Ｒ、照明光源２０Ｌ、２０Ｒと同様のレンズ２１、広角視標２２、照明光源２３が配列されている。広角視標１９Ｌ、１９Ｒ、２２は若干ぼけた遠景視標で、中心部には視標１６と同様の中心固視可能な視標を有し、視角は上下が２０〜３０度、左右が３０〜４０度とされている。
【００１１】
このような構成により、指標照明用光源１７に照明された視標１６からの光束は、レンズ１５、ミラー１４、レンズ１３、光分割部材５、レンズ４、光分割部材３、２を介して、被検眼である右眼ERに投影される。このとき、視標視度を変えるために視標１６を光源１７と共に光路O3方向に駆動するが、この視標１６は被検眼の瞳孔から光学的に遠方にあるので、視度を変えてもその見掛けの大きさ即ち視角は変らない。
【００１２】
屈折測定用赤外光源１２は孔あきミラー１１、ミラー１０、対物レンズ９、光分割部材３、２を介し、光束を被検眼である右眼ERの眼底に投影する。その眼底反射光は同じ光路O4を戻り、孔あきミラー１１、光分割部材７で反射され、撮像手段８に受光される。その信号から図示しない演算手段により光束位置が解析されて屈折値が算出される。なお、測定に先だって予め予備測定を行い、そのときの屈折値に応じて視標１６を駆動して、被検眼の調節を緩解するようにする。
【００１３】
図示しない赤外光源により被検眼の前眼部を照明し、前眼部像はレンズ４、９により撮像手段８に結像する。その映像は図示しないテレビモニタに表示され、被検眼の位置合わせのために使われる。広角視標１９Ｌは照明光源２０Ｌに照明されて、他眼となる左眼ELに呈示される。この広角視標１９Ｌは投影レンズ１８Ｌの焦点付近に位置しているので、左眼ELに対して光学的に遠方視標となり、広角視標１９Ｌ上の各点からの光束は平行光となって左眼ELに投影される。
【００１４】
次に、左眼ELの測定を行う場合は、基台上で光学系を載置する摺動台を摺動して、測定光路O1を左眼ELに合わせ、他眼となる右眼ERには照明光源２０Ｒにより照明された広角視標１９Ｒが呈示される。広角視標１９Ｒも右眼ERに対して光学的に遠方視標となり、視標光束は平行光となって右眼ERに投影される。
【００１５】
また、広角視標２２は照明光源２３によって照明され、レンズ２１を介して光分割部材２の周辺部で反射され、見掛け遠方の広角視標２２からの光束が被検眼の周辺部に投影され、同時に被検眼の中心部に視標１６が投影される。両眼EL、ERに広角で投影される広角視標１９Ｌ、１９Ｒ、２２は遠方視感を与え、両眼EL、ERに調節緩解を促す。視標１６は被検眼の視度に応じて視度が調節されるので、被検眼の視度に拘らず固視が可能である。遠方視感は左右像の網膜上の位置関係によるので、像がぼけていても殆ど変わりがなく、他眼で凝視して調節が起こらないようにぼけた映像とされている。
【００１６】
光分割部材２には、視標１６からの光束を透過する中心部２ａの周辺に、可視光を反射する反射膜が部分的に施されているが、全面を可視光に対してハーフミラーとしてもよく、この場合には赤外光を全面透過するようにする。
【００１７】
瞳孔間距離が平均的でない被検者では、他眼の視軸と光路O4、O5が合わないが、視標光束は平行光なので、両眼EL、ERに投影される光束は互いに平行に保たれる。左右眼EL、ERの高さが異なる場合でも、他眼への視標光束が太い平行光なので調節する必要はない。
【００１８】
以上の説明では他覚屈折測定装置について行ったが、自覚屈折測定装置でも同様であり、その場合には被検者の応答により、視標１６を光路O3方向に動かして視度を変更する。
【００１９】
また、他眼に呈示する広角視標１９Ｌ、１９Ｒ、２２を中心の視標１６と同じ遠景映像としたが、必ずしも同じ必要はなく、例えば幾何学的な映像を用いてもよい。
【００２０】
【発明の効果】
以上説明したように本発明による眼屈折計は、第１、第２の視標を被検眼に投影すると共に、第２の視標と同じ第３の視標を他眼に投影することにより、簡素な構成で調節を緩解して精度の良い屈折測定を可能とする。
【図面の簡単な説明】
【図１】他覚屈折計の光学系の平面図である。
【図２】光学系の要部の側面図である。
【図３】視度可変視標の正面図である。
【図４】広角視標の正面図である。
【符号の説明】
２、３、５、７  光分割部材
８  撮像手段
９  対物レンズ
１１  孔あきミラー
１２  赤外光源
１６  指標
１９Ｌ、１９Ｒ、２２  広角視標
１７、２０Ｌ、２０Ｒ、２３  照明光源
【図１】
0003884864.tif 000002
【図２】
0003884864.tif 000003
【図３】
0003884864.tif 000004
【図４】
0003884864.tif 000005